(57)【要約】【課題】本発明は、回転に対する可変抵抗を有する光学装置を提供する。【解決手段】光学装置ハウジングは、そこから回転可能に延びる支柱と、そこから固定的に延びるスリーブとを有する。スリーブは支柱の周りに配置され、ノブは支柱に接続される。クラッチ機構は、スリーブに移動可能に係合された摩擦要素と、摩擦面と、摩擦要素に係合していて且つ光学装置ハウジング及びノブハウジングに対して回転可能である調整要素と、を具備する。調節要素の回転は摩擦面を内面に選択的に係合させる。【選択図】図３
2018071964.tif 000002
【特許請求の範囲】
【請求項１】
光学装置ハウジングと、
前記光学装置ハウジングから回転可能に延びる支柱と、
前記光学装置ハウジングから固定的に延びていて且つ前記支柱の周りに配置されたスリーブと、
前記光学装置ハウジングに対して回転可能であるように前記支柱に接続されたノブであって、内面を具備するノブハウジングを具備するノブと、
クラッチ機構であって、前記スリーブに移動可能に係合された摩擦要素と、摩擦面と、前記摩擦要素と係合していて且つ前記光学装置ハウジング及び前記ノブハウジングに対して回転可能である調整要素と、を有するクラッチ機構と、
を具備する装置において、
前記調整要素の回転は前記摩擦面を前記内面に選択的に係合させる、ことを特徴とする装置。
【請求項２】
前記支柱は支柱軸線を具備しており、
前記支柱と、前記スリーブと、前記ノブハウジングと、前記摩擦要素と、前記調整要素の各々は、前記支柱軸線を中心とする、ことを特徴とする請求項１に記載の装置。
【請求項３】
前記スリーブは前記支柱軸線から離れるように延びるスリーブ突起を有しており、
前記摩擦要素は前記スリーブの周りに配置されていて且つ前記スリーブ突起に係合する摩擦要素突起を有しており、
前記スリーブ突起と前記摩擦要素突起との間の係合は、前記スリーブに対する前記摩擦要素の回転を防止する、ことを特徴とする請求項２に記載の装置。
【請求項４】
前記摩擦要素突起は前記支柱軸線に沿った方向において前記スリーブ突起に対して摺動可能である、ことを特徴とする請求項３に記載の装置。
【請求項５】
前記調整要素は、該調整要素の回転が前記摩擦要素を前記支柱軸線に沿って移動させるように、前記摩擦要素に係合する傾斜部を有する、ことを特徴とする請求項３に記載の装置。
【請求項６】
前記傾斜部は前記摩擦面に実質的に対向して配置された前記摩擦要素の表面と係合する、ことを特徴とする請求項５に記載の装置。
【請求項７】
前記傾斜部は前記摩擦要素突起に実質的に対向して配置された前記摩擦要素の表面と係合する、ことを特徴とする請求項５に記載の装置。
【請求項８】
前記摩擦面は前記摩擦要素から分離する、ことを特徴とする請求項１に記載の装置。
【請求項９】
光学装置ハウジングと、
前記光学装置ハウジングから回転可能に延びる支柱と、
前記光学装置ハウジングから固定的に延びていて且つ前記支柱の周りに配置されたスリーブであって、前記支柱及びスリーブが共通軸線において中心を有するスリーブと、
前記光学装置ハウジングに対して回転可能であるように前記支柱に接続されたノブと、
前記スリーブに回転不能に係合していて且つ前記スリーブに摺動自在に係合して、前記共通軸線に対して前記スリーブに沿って摺動する摩擦要素と、
前記摩擦要素と係合する位置調整要素と、を具備する装置において、
前記位置調整要素の第１の方向の回転は、前記ノブと前記摩擦要素との間の摩擦抵抗を選択的に増大させる、ことを特徴とする装置。
【請求項１０】
前記位置調整要素の第２の方向の回転は、前記ノブと前記摩擦要素との間の前記摩擦抵抗を選択的に減少させる、ことを特徴とする請求項９に記載の装置。
【請求項１１】
前記第２の方向の回転は前記摩擦要素を前記ノブから完全に離脱させる、ことを特徴とする請求項１０に記載の装置。
【請求項１２】
前記位置調整要素は前記ノブの外面を超えて延びる、ことを特徴とする請求項９に記載の装置。
【請求項１３】
前記摩擦要素は、実質的にリング形状であり、前記スリーブの周りに配置される、ことを特徴とする請求項９に記載の装置。
【請求項１４】
前記位置調整要素は、実質的にリング形状であり、前記摩擦要素の周りに配置される、ことを特徴とする請求項９に記載の装置。
【請求項１５】
前記位置調整要素は、実質的にリング形状であり、前記ノブから前記摩擦要素の反対に配置される、ことを特徴とする請求項９に記載の装置。
【請求項１６】
前記ノブと前記支柱と前記スリーブと前記摩擦要素と前記位置調整要素の各々は、前記共通軸線において中心を有する、ことを特徴とする請求項９に記載の装置。
【請求項１７】
光学装置ハウジングと、
前記光学装置ハウジングから延びる軸線の周りで回転可能な支柱と、
前記光学装置ハウジングから固定的に延びていて且つ前記支柱の周りに配置されたスリーブであって、前記支柱及びスリーブが軸線に中心を有するスリーブと、
前記光学装置ハウジングに対して回転可能であるように、前記支柱に接続されたノブと、
前記スリーブの周りに配置されたクラッチと、
前記クラッチに係合するカムであって、前記カムの回転は前記クラッチを前記ノブに係合するように動かすカムと、を具備することを特徴とする装置。
【請求項１８】
第１のカム位置において、前記クラッチが前記ノブから離脱する、ことを特徴とする請求項１７に記載の装置。
【請求項１９】
第２のカム位置において、前記クラッチは第１の摩擦抵抗で前記ノブと係合する、ことを特徴とする請求項１８に記載の装置。
【請求項２０】
第３のカム位置において、前記クラッチは前記第１の摩擦抵抗より大きい第２の摩擦抵抗で前記ノブに係合する、ことを特徴とする請求項１９に記載の装置。
【発明の詳細な説明】
【技術分野】
【０００１】
本発明は、回転に対する可変抵抗を有する光学装置に関する。
【背景技術】
【０００２】
ライフル（小銃）又は銃の照準合わせは、幾つかの環境及び別の種類の要因を考慮する必要がある。弾丸がライフルから意図する標的に移動する場合に、幾らかの力が弾丸の飛行に影響する。重力は、弾丸が銃器から標的まで移動する際に、弾丸を高さ方向において落下させる。もし狩猟家１００が自身の標的１０２に接近しているならば、図１Ａに示すように、弾丸は、弾道１０４により表わされるように極僅か落下する。より遠い距離においては、図１Ｂの弾道１０６により示されるように、重力は、弾丸を高さ方向において、より大きく落下させる。ライフルスコープ（照準器）等の光学装置は、ライフルを正確に照準合わせするように使用される。
【発明の概要】
【課題を解決するための手段】
【０００３】
一つの態様において、本技術は、光学装置ハウジングと；光学装置ハウジングから回転可能に延びる支柱と；光学装置ハウジングから固定的に延びていて且つ支柱の周りに配置されたスリーブと；光学装置ハウジングに対して回転可能であるように支柱に接続されたノブ（つまみ）であって、内面を有するノブハウジングを有するノブと；スリーブに移動可能に係合された摩擦要素と、摩擦面と、摩擦要素と係合していて且つ光学装置ハウジング及びノブハウジングに対して回転可能である調整要素と、を有するクラッチ機構と；を有する装置に関しており、そこでは、調整要素の回転は、摩擦面を内面に選択的に係合させる。例において、支柱は、支柱軸線を具備しており、更に支柱とスリーブとノブハウジングと摩擦要素と調整要素の各々は、支柱軸線を中心とする。別に例において、スリーブは、支柱軸線から離れるように延びる、スリーブ突起を具備しており、更に摩擦要素は、スリーブの周りに配置されていて且つスリーブ突起に係合する摩擦要素突起を具備しており、更にスリーブ突起と摩擦要素突起との間の係合は、スリーブに対する摩擦要素の回転を防止する。更に別の例において、摩擦要素突起は、支柱軸線に沿った方向においてスリーブ突起に対して摺動可能である。更に別の例において、調整要素は、調整要素の回転が摩擦要素を支柱軸線に沿って移動させるように、摩擦要素に係合する傾斜部を具備する。
【０００４】
上記の態様の別の例において、傾斜部は、摩擦面に実質的に対向して配置された、摩擦要素の表面と係合する。例において、傾斜部は、摩擦要素突起に実質的に対向して配置された、摩擦要素の表面と係合する。別の例において、摩擦面は、摩擦要素から分離する。
【０００５】
別の態様において、本技術は、光学装置ハウジングと；光学装置ハウジングから回転可能に延びる支柱と；光学装置ハウジングから固定的に延びていて且つ支柱の周りに配置されたスリーブであって、支柱及びスリーブが共通軸線において中心を有するスリーブと；光学装置ハウジングに対して回転可能であるように支柱に接続されたノブと；スリーブに回転不能に係合していて且つスリーブに摺動自在に係合して、共通軸線に対してスリーブに沿って摺動する、摩擦要素と；摩擦要素と係合する位置調整要素と；を具備する、装置に関しており、そこでは、位置調整要素の第１の方向の回転は、ノブと摩擦要素との間の摩擦抵抗を選択的に増大させる。例において、位置調整要素の第２の方向の回転は、ノブと摩擦要素との間の摩擦抵抗を選択的に減少させる。別の例において、第２の方向の回転は、摩擦要素をノブから完全に離脱させる。更に別の例において、位置調整要素は、ノブの外面を超えて延びる。更に別の例において、摩擦要素は、実質的にリング形状であり、スリーブの周りに配置される。
【０００６】
上記の態様の別の例において、位置調整要素は、実質的にリング形状であり、摩擦要素の周りに配置される。例において、位置調整要素は、実質的にリング形状であり、ノブから摩擦要素の反対に配置される。別の例において、ノブと支柱とスリーブと摩擦要素と位置調整要素の各々は、共通軸線において中心を有する。
【０００７】
別の態様において、本技術は、光学装置ハウジングと；光学装置ハウジングから延びる、軸線の周りで回転可能な支柱と；光学装置ハウジングから固定的に延びていて且つ支柱の周りに配置されたスリーブであって、支柱及びスリーブが、軸線において中心を有する、スリーブと；光学装置ハウジングに対して回転可能であるように、支柱に接続されたノブと；スリーブの周りに配置されたクラッチと；クラッチに係合するカムであって、カムの回転は、クラッチを、ノブに係合するように動かす、カムと；を有する装置に関する。例において、クラッチは、第１のカム位置においてノブから離脱する。例において、第２のカム位置において、クラッチは、第１の摩擦抵抗においてノブと係合する。別の例において、第３のカム位置において、クラッチは、第１の摩擦抵抗より大きい第２の摩擦抵抗においてノブに係合する。
【０００８】
現在好適な実施の形態が、図面に示されるが、しかしこの技術は、示された正確な構成及び手段に限定されないことが理解される。
【図面の簡単な説明】
【０００９】
【図１Ａ】銃弾の飛行に対する重力の影響の単純化された説明図を示す。
【図１Ｂ】銃弾の飛行に対する重力の影響の単純化された説明図を示す。
【図２Ａ】光学装置の部分斜視図を示す。
【図２Ｂ】光学装置の部分分解組立斜視図を示す。
【図３】光学装置のための可変摩擦ノブの分解斜視図を示す。
【図４】光学装置のための可変摩擦ノブの断面図を示す。
【図５Ａ】図４の可変摩擦ノブの拡大部分断面図を示す。
【図５Ｂ】図４の可変摩擦ノブの拡大部分断面図を示す。
【図６Ａ】光学装置用の可変摩擦ノブの別の例の部分側断面図を示す。
【図６Ｂ】光学装置用の可変摩擦ノブの別の例の部分側断面図を示す。
【図６Ｃ】光学装置用の可変摩擦ノブの別の例の部分側断面図を示す。
【図７Ａ】光学装置用の可変摩擦ノブの別の例の拡大部分断面図を示す。
【図７Ｂ】光学装置用の可変摩擦ノブの別の例の拡大部分断面図を示す。
【発明を実施するための形態】
【００１０】
本技術は、銃器又は別の器具の照準を正確に合わせるための公知の照準システム及び方法（例えば、その開示が、本明細書において、その全てが本明細書により参考文献として組み込まれる、米国特許第７，７０３，６７９号明細書に記載されるもの等）の新規で且つ改良された実施の形態に関する。本明細書において使用されるように、「照準システム」は、広く解釈されるべきであり、銃器、ライフル、拳銃又は別の器具等の、砲弾発射システムの照準合わせにおいて人を補助する、一つ以上の光学装置及び処理システムとして定義される。開示された技術は、アドレス（宛先）指定可能な照準要素を有するもの（照準システム又は光学装置）及び有さないもの（照準システム又は光学装置）を含む、任意のタイプの照準システム又は光学装置において適用性を有する。本出願において、ライフルスコープ（照準器）が、例示的な実施の形態として説明される。
【００１１】
射撃者と通常呼ばれていて且つライフル又は別の銃器を使用する狩猟家、狙撃者又は別の人物は、標的を視覚的に捕らえ且つ照準の精度を向上させるように、ライフルスコープ等の光学的照準システムを使用する。また、図２Ａ及び２Ｂは、ライフルスコープの形態の光学装置２００の部分斜視図及び部分分解斜視図を示す。これら２つの図は、同時に説明される。光学装置２００は、光学装置の１つ以上の設定を調整するように使用される、調整ノブ（つまみ）２０２を利用する。光学装置２００は、長手方向軸線Ａと同様に、接眼レンズ２０６及び対物端部２０８（接眼ハウジング及びレンズは、図２Ａ及び図２Ｂに示されない）と、を有するハウジング２０４を具備する。基準マーク２１０は、ノブ取付台２１２に近接して、ハウジング２０４の表面上に配置される。ノブ取付台２１２は、ハウジング２０４に固定されており、調整支柱２１４に取り付けられた時にノブ２０２が載る、場所を画定する。調整支柱２１４は、ノブ２０２により画定される、開口部２１８に配置される複数の止めねじ（図示されない）を受容するような寸法の首部２１６を具備する。調整支柱２１４は、ハウジング２０４に対して回転可能に取り付けられる。一旦ノブ２０２が調整支柱２１４に固定されると、ノブ２０２の回転は、ハウジング２０４内に配置される、照準システムを調整するように（例えば、従来技術で既知のように、レンズ又はレチクル（焦点板）の移動、又は照準システムの別の光学設定の変更）調整支柱２１４を回転させる。
【００１２】
ノブ取付台２１２は、ハウジング２０４に対して回転しないようにハウジング２０４に対してしっかりと固定される（例えば、ノブ取付台２１２を介して）、スリーブ２２０を具備してもよい。クロッキングピン２２２は、スリーブ２２０から延びており、ノブ２０２の回転時に動かないように固定される。クロッキングピン２２２は、ノブ２０２の過回転を防止する。ノブ２０２は、一般的にはノブ２０２の外周の周りに配置された、目盛りマーク（印）又は線の形態の複数の基準マーキング（印）２２４を具備する。ノブ２０２の回転は、異なる基準マーキング２２４をハウジング２０４上の基準マーク２１０と整列させるので、従って光学装置の設定の射撃者への視覚的表示を提供する。一旦ノブ２０２の所望の位置（ハウジング２０４に対する）が設定されると、射撃者がノブ２０２の偶発的な回転を避けるように、ノブ２０２のこの位置を設定することが望ましくてもよい。その様な偶発的な回転は、もし気付かなければ、光学装置２００の設定を変えてもよく、関連するライフルによる不正確なその後の発砲を引き起こす可能性がある。
【００１３】
従って、本明細書に記載の光学装置は、ノブの摩擦抵抗を選択的に増減する、構造を利用して回転に対して可変に抵抗するように構成されたノブを利用する。これにより、ノブの回転の可能性を低減又は防止可能である。加えて、摩擦抵抗は、特定の射撃者により必要又は所望されるように、ノブを回すことが容易又は困難であるように変更されてもよい。例えば、ノブをゼロ（起点）に合わせる（例えば、成功した発砲後に）場合に、射撃者は、より速い回転を可能にするように、ノブに加えられる追加的な抵抗がほとんど無いことを望むことがある。ノブの正確な回転が必要な場合に、射撃者は、例えば、ノブの偶発的な過回転を防止するように所望の設定にノブの摩擦抵抗を設定してもよい。所望の位置に達した時に、摩擦抵抗は、所望の位置における偶発的な回転に抗するようにノブを設定するように更に増大させられてもよい。本明細書に記載の可変摩擦ノブは、しかしながら、一度設定されると、回転を完全に防止する必要はない。従来技術で利用可能な、所謂「係止（ロッキング）ノブ」は、ノブに加えられる強い力が係止機構を破壊可能であって更に修理又は交換を必要とする、ノブを損傷させるような方法で物理的に係合する、要素をしばしば具備する。しかし、本明細書に記載された可変摩擦ノブは、特定の力まで、加えられた回転に耐える。しかし、より強い力は、回転に抵抗する機構に損傷を与えることなく、ノブを回転させる。このように、可変摩擦ノブは、多くの従来技術の係止ノブに比べて、より汎用性があり且つ損傷を受け難い。
【００１４】
図２Ａ及び２Ｂに関連して、次に、光学装置はここでは、ノブ２０２に近接して配置された、ギザギザ模様を有するリングの形態の摩擦調整要素２２６を具備する。ノブ２０２は、摩擦調整要素２２６に対して独立して回転可能である。同様に、摩擦調整要素２２６は、ノブ２０２とハウジング２０４との両方に対して独立して回転可能であり、それによりノブ２０２の摩擦抵抗を調整するための調整要素２２６の回転は、ノブ２０２を回転させない。更に、ノブ２０２の所望の位置が到達されると、調整要素２２６は、やはりノブ２０２自体が回転しないで、その位置を維持するのに十分な摩擦レベルを設定するように回転されてもよい。図２Ａ及び２Ｂにおいて、光学装置２００における複数のノブの内の単一のノブ２０２だけが、摩擦調整要素２２６を具備するように示される。所定の光学装置における任意の数のノブが、本明細書に記載の技術を組み込んでもよい。
【００１５】
図３は、可変摩擦ノブ３００の分解斜視図を示す。文脈により、光学装置２００の一部、特には、固定ノブ取付台２１２及び固定ノブ取付台２１２から延びる構成要素がまた示される。より具体的には、スリーブ２２０及びクロッキングピン２２２が、ノブ取付台２１２から固定的に延びる。支柱２１４は、スリーブ２２０から回転可能に延びる。スリーブ２２０はまた、スリーブ２２０の外周の周りに１つ以上のスリーブ突起２５０を具備する。図示の例において、複数のスリーブ突起２５０は、支柱２１４により画定されていて且つ支柱２１４がその周りで回転する、共通の中心軸線ＡCから離れるように延びる、複数の歯の形態である。
【００１６】
可変摩擦ノブ３００は、握り部３０４を有するノブハウジング３０２を具備しており、握り部３０４は、安定した握り面を提供するように、ローレット加工されていてもよいし、又はそうでなければテクスチャ加工（表面加工）されてもよい。上述のように、ノブ３０２はまた、止めねじ（図示せず）を受容するための複数の開口部３０６を画定する。基準マーキング３０８はまた、ハウジング３０２の外面３１０に示される。基準マーキング３０８は、英数字のしるし又は別のシンボル（記号）を追加的に具備してもよい。別の例において、ノブ３００は、米国特許第９，４２３，２１５号明細書に記載されるマルチターン（多重巻）ノブ技術を組み込んでもよく、その開示は、これにより、参照によりその全体が本明細書において組み込まれる。ノブハウジング３０２の頂面３１２は、現場で見られてもよい、埃、瓦礫、雨水又は別の汚染物質の侵入に対して、ノブ３００を封止する。
【００１７】
可変摩擦ノブ３００はまた、ノブハウジング３０２の回転に対する摩擦抵抗の量を変化させるように利用されてもよい、クラッチ機構を具備しており、そのことの特定の利点及び長所は、上述されている。クラッチ機構は、図示の例において実質的にリング形状であって且つ１つ以上の歯付き突起３１６を画定する内面を有する、クラッチ又は摩擦要素３１４を具備する。歯付き突起３１６は、複数のスリーブ突起２５０と係合するように構成されるので、従って摩擦要素３１４が軸線ＡCの周りで回転することを防止する。嵌合突起３１６、２５０は、以下に説明するように、摩擦要素３１４がスリーブ２２０に対して軸線ＡCに沿って且つ軸線ＡCに実質的に平行に摺動することを可能にするように構成される。摩擦要素３１４は、図示の例において実質的に平坦な上面である摩擦面３１８を具備するが、しかし別の構成が、本明細書において、考えられ、説明される。例えば、摩擦要素３１４は、高摩擦材料で覆われた、金属等の高強度材料とすることができる。高摩擦材料は、摩擦面３１８を画定し、摩擦要素３１４から分離するか、又は摩擦要素３１４に接着され（又は一体となることさえ）てもよい。追加の被覆又は生地が、摩擦面３１８の摩擦係数を更に増大させることを必要又は所望される場合に、摩擦面３１８に適用されるか又は上に形成されてもよい。
【００１８】
摩擦要素３１４はまた、摩擦要素３１４の外面に配置された１つ以上のねじ山、カム又は傾斜部３２０を具備する。傾斜部３２０は、調整要素３２４の内面に配置された嵌合ねじ山、カム又は傾斜部３２２と係合するように構成される。調整要素３２４はまた、実質的にリング形状であってもよく、摩擦要素３１４の周りに配置されてもよい。従って、調整要素３２４の第１の方向の回転Ｒが、摩擦要素３１４の第１の直線運動Ｍを生成する一方で、第２の反対方向の回転Ｒ’は、摩擦要素３１４の第２の直線運動Ｍ’を生成する。これらの回転Ｒ、Ｒ’及び対応する動きＭ、Ｍ’は、より詳細に以下で述べるように、ノブ３００の摩擦抵抗を調整する。調整要素３２４を回転Ｒ、Ｒ’させるために、射撃者は、調整要素３２４の側部から突出する、１つ以上のギザギザ模様を有する鋸歯状部３２６に力を加える。これらの鋸歯状部３２６は、ノブハウジング３０２の外面３１０を越えて突出して、容易な接近及び回転Ｒ、Ｒ’を可能にする。
【００１９】
ノブハウジング３０２に対する摩擦要素３１４の位置は、以下で更に詳細に説明するように、回転に対するノブ３００の摩擦抵抗を決定する。摩擦要素３１４がノブハウジング３０２に接触していない場合には、追加の摩擦抵抗は、ノブ３００に対して適用されない。摩擦要素３１４がノブハウジング３０２に最初に接触する際に、その場合ノブハウジング３０２に対してより大きな力が加えられ、ノブ３００の回転に対する抵抗は増大する。種々の力の釣り合いをとるために、ノブ３００の様々な構成要素は、支柱２１４から延びる共通軸線ＡCを実質的に中心とするように配置される。より具体的には、支柱２１４が、共通軸線ＡCの周りで回転する一方で、スリーブ２２０は、支柱２１４の周りに配置されており、軸線ＡCの周りで回転しないようにノブ取付台２１２にしっかりと固定される。摩擦要素３１４は、スリーブ２２０の周りに配置されており、軸線ＡCの周りで回転しないようにスリーブ２２０と係合する。調整要素３２４は、摩擦要素３１４の周りに配置される。ノブハウジング３０２の一部は、鋸歯状部３２６を露出させたままで、調整要素３２４の周りに配置される。これらの要素の全ての中心は、共通軸線ＡCに沿って整列する。
【００２０】
図４は、図３に示されるもののような可変摩擦ノブ３００の断面図を示す。図４に示す多数の構成要素は、前出の図面において上記説明したので、必ずしも更に説明しない。ノブ取付台２１２は、回転しないように、光学装置のハウジング（図示せず）に固定される。エクステンション要素４０２は、ノブ取付台２１２を貫通し、光学装置ハウジング内に延在する。エクステンション要素の運動（特定の用途に必要とされるか又は望ましいような、回転又は直線運動のいずれか）は、光学装置の光学設定を調整する。図示された例において、支柱２１４の回転がエクステンション要素４０２に伝達されるように、止めピン４０４は、支柱２１４からエクステンション要素４０２内に延長するので、従ってエクステンション要素４０２の対応する回転を引き起こす。クリッカー（つめ部）４０８は、ばね４１０により軸線ＡCから離れる方向に且つ戻り止め面４１２内に付勢される（明確化のために、クリッカー４０８と戻り止め面４１２との間の接触は、図４には示されていない）。クリッカー４０８及び戻り止め面４１２は、ノブハウジング３０２の外面３１０上の基準マーク（図示せず）が光学装置ハウジング上の基準マーク（図示せず）と整列するように、ノブハウジング３０２の位置を設定することを助ける。
【００２１】
支柱２１４は、スリーブ２２０内から上方に延び、共通軸線ＡCの周りで、スリーブ２２０に対して回転するように構成される。ノブハウジング３０２は、開口部３０６に挿入された止めねじ（図示せず）を介して支柱２１４に固定されて、支柱２１４の首部２１６と係合する。複数の止めねじが、使用されてもよい。上述のように、スリーブ２２０は、共通軸線ＡCから離れるように延びる、１つ以上のスリーブ突起２５０を具備する。スリーブ突起２５０は、摩擦要素３１４の内面から延びる嵌合突起３１６、例えば歯付き突起と係合する。図４において、スリーブ突起２５０は、嵌合突起３１６が配置される近傍の位置において、摩擦要素３１４内に延びるものとして示されることに留意されたい。明瞭化のため、嵌合突起３１６は示されない。調節要素３２４は、ノブハウジング３０２の回転に対する摩擦抵抗の調整を可能にするように、ノブハウジング３０２及び支柱２１４とは独立して回転するように構成される。図４において、摩擦要素３１４は、ノブハウジング３０２と接触しない。より具体的には、摩擦面３１８は、ノブハウジング３０２の内側係合面４１６と係合しない。このように、摩擦要素３１４によりノブハウジング３０２に加えられる、追加的な摩擦抵抗は存在せず、更にノブハウジング３０２は、最も容易に回転する。調整部材３２４が軸線ＡCの周りで回転Ｒする際に、調節部材３２４と摩擦要素３１４との間の境界４１８（図４において、明確化のために、境界４１８のねじ構造又は傾斜構造は示されない）は、摩擦要素３１４を、共通軸線ＡCに実質的に沿って且つ平行に上方に移動Ｍさせる。この移動は、射撃者が、摩擦面３１８を内側係合面４１６に選択的に係合することを可能にするので、従ってノブ３０２の回転に対する摩擦抵抗を増大させる。調整要素３２４の更なる回転Ｒは、摩擦抵抗を増大させる。しかしながら、上述したように、摩擦面３１８及び内側係合面４１６が、概略平坦な面であり更に戻り止めや係止突起等の係合部分を利用しないので、十分な回転力はやはり、設定された摩擦抵抗に打ち勝ってもよい。従って、ノブ３００は、偶然の接触（例えば、現場におけるライフルの移動において）により偶発的に発生してもよい、回転に耐えるが、しかし、もし大きな回転力がノブハウジング３０２に加えられる場合には、損傷されない。射撃者が、摩擦抵抗を低減させることを望む場合には、調整要素３２４は、反対方向に回転Ｒ’されて、摩擦要素３１４を下方に移動Ｍ’させる。
【００２２】
図５Ａ〜５Ｂは、図４の可変摩擦ノブ３００の拡大部分断面図を示す。図４及び５に示す多くの構成要素は、前出の図面において上記で説明されるので、必ずしも更には説明されない。図５Ａは、ノブハウジング３０２の内面４１６に対して追加的な摩擦抵抗を及ぼさないような位置にある摩擦要素３１４を示す。従って、ノブ３００は、自由に回転できる。図５Ｂにおいて示されるように、調節要素３２４が回転されているので、堺界４１８における摩擦要素３１４と調整要素３２４の係合は、摩擦要素３１４の上方移動を引き起こす。一旦摩擦面３１８がノブハウジング３０２の内面４１６に接触すると、摩擦要素３１４と内面４１６との間の摩擦抵抗は増大する。従って、摩擦要素３１４は、突出部３１６、２５０においてスリーブ２２０と回転不能に係合されるので、ノブハウジング３０２の回転に対する抵抗は増大する。調整要素３２４は、摩擦要素３１４により内面４１６に、より大きな力を加えるように更に回転されてもよく、これにより、回転に対するノブハウジング３０２の摩擦抵抗を増大させる。摩擦抵抗のこの増大は、内面４１６に対する摩擦要素３１４の圧縮を伴ってもよい。
【００２３】
図６Ａ〜６Ｃは、概略的に示される、ノブハウジング５０２と、クラッチ又は摩擦要素５０４と、調整要素５０６と、を具備する、可変摩擦ノブ５００の部分側断面図を示す。ノブハウジング５０２は、内面５０８有しており、摩擦要素は、多数の波状突起５１２を具備する、摩擦面５１０を有する。別の形状を有する突起が考えられる。例えば、その様な突起は、摩擦面５１０から突出した別個の隆起又はドーム（円頂）であってもよく、あるいは歯付き又は鋸歯状突起であってもよい。摩擦要素５０４及び調整要素５０６は、摩擦面５１０に対向する摩擦要素５０４の表面上に配置された、カム式又は傾斜式境界５１４において係合する。図６Ａにおいて、摩擦要素５０４は、ノブハウジング５０２に係合しない。従って、摩擦要素５０４は、ノブハウジング５０２に摩擦抵抗を適用しない。図６Ｂにおいて、調整要素５０６は、傾斜した境界５１４におけるこれらの要素（摩擦要素５０４及び調整要素５０６）の間の係合により、回転Ｒされており、そのことは、摩擦要素５０４を上方に移動Ｍさせる。この上向きの動きは、前述の共通軸線に対して実質的に平行であろう。これにより、摩擦面５１０の波状突起５１２と内面５０８との間において接触を引き起こすので、従ってノブハウジング５０２に力Ｆが加えられ、ノブ５００の回転に対する摩擦抵抗を増大させる。図６Ｃにおいて、調整要素５０６は更に回転Ｒ＋して、そのことは、摩擦要素５０４を上方に更に移動Ｍ＋させる。これは、波状突出部５１２の圧縮を引き起こし、摩擦面５１０と内面５０８との間の接触面積を増大させるので、従ってノブハウジング５０２に対してより大きな力Ｆ＋が加えられ、ノブ５００の回転に対する摩擦抵抗を更に増大させる。反対方向の回転Ｒ−（図６Ｃにも示される）は、摩擦要素５０４を反対方向において移動Ｍ−させ、ノブハウジング５０２に加えられる力Ｆ−を減少させる。これは、ノブ５００の回転に対する摩擦抵抗を減少させる。調節要素５０６の更なる反対の回転Ｒ−は、摩擦要素５０４を図６Ａに示す非接触状態に戻しており、ここで、摩擦要素５０４は、ノブハウジング５０２から完全に離脱する。
【００２４】
図７Ａ〜７Ｂは、光学デバイス用の可変摩擦ノブ６００の別の例の拡大部分断面図を示す。具体的には、図７Ａ〜７Ｂは、一体的な摩擦面のない、摩擦要素６０２を利用する可変摩擦ノブ６００を示す。その代わりに、摩擦面は、図示のように、ハウジング６０６に接続されるか又はそこ（ハウジング６０６）から分離されてもよい、分離（摩擦要素６０２に対して）摩擦リング６０４の形態である。摩擦要素６０２は、上述したように、スリーブ６０８と摺動可能に係合する。更に、調整要素６１０は、この場合において、摩擦要素６０２の下に配置される。図７Ａは、摩擦要素６０２が摩擦リング６０４と係合していないので、ノブハウジング６０６に対して追加的な摩擦抵抗を作用させないように、所定の位置にある摩擦要素６０２を示す。従ってノブ６００は、自由に回転できる。図７Ｂに示されるように、調整要素６１０が回転されているので、調整要素６１０の上にある傾斜部６１２は、スリーブ６０８に沿って摩擦要素６０２を上方に押す。摩擦要素６０２のくさび形構成は、摩擦リングに力（例えば、外向きの力）を適用しており、その要素を外向きに押してハウジング６０６に接触させて、それによりノブ６００の回転に対する摩擦抵抗を調整する。調整要素６１０は、摩擦要素６０２により摩擦リング６０４に、より大きな力を加えるように更に回転させられてもよく、これは、回転に対するノブハウジング６０６の摩擦抵抗を増大させる。この摩擦抵抗の増大は、ハウジング６０６に対する摩擦リング６０４の圧縮を伴ってもよい。
【００２５】
ここに示された可変摩擦ノブの製造において利用される材料は、光学装置用のノブの製造において一般的に使用されるものと同様である。例えば、ノブハウジング及び別の構成要素は、アルミニウム又は別の強固な金属であってもよく、更に粉体被覆されてもよいか、又はそうでなければ腐食に耐えるように処理されてもよい。調整要素は、ＰＶＣ、ＡＢＳ、ナイロン又は別のプラスチック等の低摩擦材料であってもよい。更に、金属が、使用されてもよく、更に調整要素と摩擦要素との間の境界において、テフロン（登録商標）又は別の低摩擦被覆により被覆されてもよく、調整要素と摩擦要素の間の境界の滑らかな動きを保証してもよい。摩擦要素は、乾燥ゴム、発泡ゴム、シリコーン又は焼結金属等のより高い摩擦材料を具備してもよい。別の例において、摩擦要素は、低摩擦材料から製造されてもよく、異なるより高い摩擦材料から製造された上側摩擦面を有してもよく、又はより高い摩擦係数を示すようにテクスチャ加工又は処理されてもよい。
【００２６】
本明細書において、本技術の例示的且つ好適な実施の形態であると考えられるべきものが、説明された一方で、本技術の別の修正は、本明細書の教示から当業者には明らかになるであろう。本明細書で開示された特定の製造方法及び形状は、本質的に例示的なものであり、限定的なものとみなされるべきではない。従って、全てのその様な修正が、本技術の精神及び範囲内にあることが、添付の特許請求の範囲において保証されることが望ましい。従って、文字特許により保護されることが望まれるものは、以下の特許請求の範囲及び全ての等価物において定義され且つ区別される技術である。
【符号の説明】
【００２７】
２００    光学装置
２０２    ノブ
２０４    ハウジング
２１４    調整支柱（支柱）
２２０    スリーブ
３１４    摩擦要素
３２４    調整要素
【図１Ａ】
2018071964.tif 000003
【図１Ｂ】
2018071964.tif 000004
【図２Ａ】
2018071964.tif 000005
【図２Ｂ】
2018071964.tif 000006
【図３】
2018071964.tif 000007
【図４】
2018071964.tif 000008
【図５Ａ】
2018071964.tif 000009
【図５Ｂ】
2018071964.tif 000010
【図６Ａ】
2018071964.tif 000011
【図６Ｂ】
2018071964.tif 000012
【図６Ｃ】
2018071964.tif 000013
【図７Ａ】
2018071964.tif 000014
【図７Ｂ】
2018071964.tif 000015